(57)【特許請求の範囲】
【請求項１】
基体及び前記基体から延出する構造物本体を備えた既設コンクリート構造物の補強構造であって、
前記構造物本体の延出方向に延在し、かつ前記構造物本体の外面に沿って配置された軸方向鉄筋と、
前記基体に設けられた複数の建て込み用孔に係着され、かつ該建て込み用孔から延出する延出部分を有する結合用部材と、
前記結合用部材の前記延出部分を内包し、かつ前記構造物本体の前記基体に隣接する部分の外面及びそれに隣接する前記基体の表面に渡って打設された根巻きコンクリートと、
前記軸方向鉄筋を埋め込み、かつ前記根巻きコンクリートと一体化するように、前記構造物本体の外面に打設された巻き立てコンクリートとを備え、
前記軸方向鉄筋の一端側が、前記根巻きコンクリートに埋め込まれており、
前記建て込み用孔を前記基体に含まれる既設鉄筋を切断する必要がない位置に設けることを可能にするべく、前記構造物本体の外面から外側に向かう方向において、前記根巻きコンクリートは、前記巻き立てコンクリートよりも厚いことを特徴とする補強構造。
【請求項２】
前記結合用部材が、ＰＣ緊張材からなることを特徴とする請求項１に記載の補強構造。
【請求項３】
前記根巻きコンクリート内に配置され、前記根巻きコンクリートを前記構造物本体に押し付ける緊張力が付与された横締めＰＣ緊張材をさらに備えることを特徴とする請求項１又は２に記載の補強構造。
【請求項４】
前記基体がフーチングであり、前記構造物本体が橋脚であることを特徴とする請求項１〜３のいずれかに記載の補強構造。
【請求項５】
基体及び前記基体から延出する構造物本体を備えた既設コンクリート構造物の補強方法であって、
前記基体を削孔して複数の建て込み用孔を設けるステップと、
前記建て込み用孔に、前記基体から延出する延出部分を含む結合用部材を建て込むステップと、
前記構造物本体の延出方向に延在するように、前記構造物本体の外面に沿って軸方向鉄筋を配置するステップと、
前記結合用部材の前記延出部分を内包するように、前記構造物本体の前記基体に隣接する部分の外面及びそれに隣接する前記基体の表面に渡って根巻きコンクリートを打設するステップと、
前記軸方向鉄筋を埋め込み、かつ前記根巻きコンクリートと一体化するように、前記構造物本体の外面に巻き立てコンクリートを打設するステップとを備え、
前記軸方向鉄筋を配置するステップにおいて、前記軸方向鉄筋の一端側は前記根巻きコンクリートに埋め込まれるように配置され、
前記建て込み用孔を前記基体に含まれる既設鉄筋を切断する必要がない位置に設けることを可能にするべく、前記構造物本体の外面から外側に向かう方向において、前記根巻きコンクリートは、前記巻き立てコンクリートよりも厚いことを特徴とする補強方法。
【請求項６】
前記結合用部材がＰＣ緊張材からなり、前記根巻きコンクリートが打設された後に緊張力を付与するステップをさらに備えることを特徴とする請求項５に記載の補強方法。
【請求項７】
前記根巻きコンクリートが打設される位置に、横締めＰＣ緊張材を配置するステップと、
前記根巻きコンクリートが打設された後に、前記根巻きコンクリートを前記構造物本体に押し付けるように、前記横締めＰＣ緊張材に緊張力を付与するステップとをさらに備えることを特徴とする請求項５又は６に記載の補強方法。
【請求項８】
前記基体がフーチングであり、前記構造物本体が橋脚であることを特徴とする請求項５〜７のいずれかに記載の補強方法。
【発明の詳細な説明】
【技術分野】
【０００１】
本発明は、既設のコンクリート構造物の補強構造及び補強方法に関する。特に、橋脚や橋台の曲げ荷重に対する補強構造及び補強方法に関する。
【背景技術】
【０００２】
橋脚の耐震補強工法として、鋼板巻き立て工法が知られている（例えば、特許文献１）。この工法は、既設の橋脚に鋼板を巻き付けることにより、橋脚のせん断耐力及びじん性を向上させるとともに、鋼板をフーチングに定着させることにより、曲げ耐力を向上させる。鋼板に代えて、炭素繊維又はアラミド繊維等の連続繊維シートが用いられる場合もある（例えば、特許文献２）。
【０００３】
また、鋼板や連続繊維シートではなく、コンクリートを巻き立てる工法も知られている。図５及び図６は、従来のコンクリート巻き立て工法により補強された橋脚の模式的な縦断面図及び横断面図を示す。既設の橋梁の下部工１０２は、地盤に定着したフーチング１０４と、フーチング１０４から柱状に延出した橋脚１０６とを備える。下部工１０２に対する耐震補強は次のように行われる。すなわち、フーチング１０４及び橋脚１０６は、内部に既設鉄筋１０８を含む。フーチング１０４に複数の建て込み用孔１１０が設けられ、建て込み用孔１１０に樹脂アンカーが挿入され、さらに建て込み用孔１１０に補強のための軸方向鉄筋１１２の下端側が建て込まれることにより、軸方向鉄筋１１２はフーチング１０４に定着される。その後、帯鉄筋１１４が配置され、軸方向鉄筋１１２及び帯鉄筋１１４を埋め込むように、橋脚１０６の外周に巻き立てコンクリート１１６が打設される。
【先行技術文献】
【特許文献】
【０００４】
【特許文献１】特開平９−１５８１２７号公報
【特許文献２】特許第２９９４３６５号公報
【発明の概要】
【発明が解決しようとする課題】
【０００５】
コンクリート巻き立て工法は、多くの場合、鋼板や連続繊維シートの巻き立て工法よりも、コストを抑えることができるという利点を有する。コンクリート巻き立て工法による橋脚の基部の補強において、じん性補強のみでは橋脚に大きな残留変位が発生する場合等は、フーチングに軸方向鉄筋を定着させて曲げ耐力の向上が図られる。しかしながら、従来のコンクリート巻き立て工法では、軸方向鉄筋がフーチングに設けた建て込み用孔に直接挿入されて定着されていたため、フーチングの既設鉄筋との位置関係が問題であった。補強のために新たに設置される軸方向鉄筋が、フーチングの既設鉄筋と干渉する位置に配置される場合や、既設鉄筋の位置が設計位置からずれている場合等に、既設鉄筋を切断するとフーチングの耐力が減少するおそれがあった。一方、干渉する軸方向鉄筋の位置をずらし、又は、干渉する軸方向鉄筋をフーチングに設けた建て込み用孔に入れずにフーチングに定着させないと、十分な補強効果が得られないおそれがあった。
【０００６】
本発明は、このような問題に鑑み、既設鉄筋との位置関係の問題を起こさずに、補強のための軸方向鉄筋をフーチング等の基体に定着できる既設コンクリート構造物の補強構造を提供することを目的とする。
【課題を解決するための手段】
【０００７】
本発明のある側面は、基体（４）及び前記基体から延出する構造物本体（６，３２，５２）を備えた既設コンクリート構造物（２）の補強構造であって、前記構造物本体の延出方向に延在し、かつ前記構造物本体の外面に沿って配置された軸方向鉄筋（１２，３８，５８）と、前記基体に設けられた複数の建て込み用孔（２２）に係着され、かつ該建て込み用孔から延出する延出部分（１６ａ）を有する結合用部材（１６，４０，６０）と、前記結合用部材の前記延出部分を内包し、かつ前記構造物本体の前記基体に隣接する部分の外面及びそれに隣接する前記基体の表面に渡って打設された根巻きコンクリート（１４，３４，５４）と、前記軸方向鉄筋を埋め込み、かつ前記根巻きコンクリートと一体化するように、前記構造物本体の外面に打設された巻き立てコンクリート（２０，３５，５５）とを備え、前記軸方向鉄筋の一端側が、前記根巻きコンクリートに埋め込まれており、前記建て込み用孔を前記基体に含まれる既設鉄筋を切断する必要がない位置に設けることを可能にするべく、前記構造物本体の外面から外側に向かう方向において、前記根巻きコンクリートは、前記巻き立てコンクリートよりも厚いことを特徴とする。
【０００８】
この構成によれば、軸方向鉄筋は、基体に設けた孔に直接建て込まれずとも、根巻きコンクリート及び結合用部材を介して基体に定着され、構造物本体の曲げ耐力を向上させることができる。結合用部材は、根巻きコンクリートを基体に定着させるが、軸方向鉄筋に比べて配置の自由度が高いため、結合用部材を建て込むための建て込み用孔は、基体に含まれる既設鉄筋を切断する必要がない位置に設けることができ、コンクリート構造物の既設部分の強度が保たれる。
【０００９】
本発明の他の側面は、上記構成において、前記結合用部材が、ＰＣ緊張材からなることを特徴とする。
【００１０】
この構成によれば、プレストレスによって根巻きコンクリートを基体に押し付けることにより、根巻きコンクリートを強固に基体に定着させることができる。軸方向鉄筋は、その一端が根巻きコンクリートに埋め込まれているため、軸方向鉄筋の根巻きコンクリート及び結合用部材を介した基体への定着も強固になり、曲げ耐力を向上させることができる。
【００１１】
本発明の他の側面は、上記構成において、前記根巻きコンクリート内に配置され、前記根巻きコンクリートを前記構造物本体に押し付ける緊張力が付与された横締めＰＣ緊張材（１８，４２，６２）をさらに備えることを特徴とする。
【００１２】
この構成によれば、横締めＰＣ緊張材によって根巻きコンクリートにプレストレスが加えられるため、根巻きコンクリートの曲げ耐力及びせん断耐力を向上させることができる。そのため、根巻きコンクリートを小さくすることができ、最小土被りや河川阻害率等の制約がある場合に好適である。
【００１３】
本発明の他の側面は、上記構成において、前記基体がフーチングであり、前記構造物本体が橋脚であることを特徴とする。
【００１４】
この構成によれば、上部工から大きな荷重を受ける橋梁の下部工の補強を、低コストで行うことができる。
【００１５】
本発明のある側面は、基体（４）及び前記基体から延出する構造物本体（６，３２，５２）を備えた既設コンクリート構造物（２）の補強方法であって、前記基体を削孔して複数の建て込み用孔（２２）を設けるステップと、前記建て込み用孔に、前記基体から延出する延出部分（１６ａ）を含む結合用部材（１６，４０，６０）を建て込むステップと、前記構造物本体の延出方向に延在するように、前記構造物本体の外面に沿って軸方向鉄筋（１２，３８，５８）を配置するステップと、前記結合用部材の前記延出部分を内包するように、前記構造物本体の前記基体に隣接する部分の外面及びそれに隣接する前記基体の表面に渡って根巻きコンクリート（１４，３４，５４）を打設するステップと、前記軸方向鉄筋を埋め込み、かつ前記根巻きコンクリートと一体化するように、前記構造物本体の外面に巻き立てコンクリート（２０，３５，５５）を打設するステップとを備え、前記軸方向鉄筋を配置するステップにおいて、前記軸方向鉄筋の一端側は前記根巻きコンクリートに埋め込まれるように配置され、前記建て込み用孔を前記基体に含まれる既設鉄筋を切断する必要がない位置に設けることを可能にするべく、前記構造物本体の外面から外側に向かう方向において、前記根巻きコンクリートは、前記巻き立てコンクリートよりも厚いことを特徴とする。
【００１６】
また、本発明の他の側面は、上記構成において、前記結合用部材がＰＣ緊張材からなり、前記根巻きコンクリートが打設された後に緊張力を付与するステップをさらに備えることを特徴とする。
【００１７】
また、本発明の他の側面は、上記構成において、前記根巻きコンクリートが打設される位置に、横締めＰＣ緊張材（１８，４２，６２）を配置するステップと、前記根巻きコンクリートが打設された後に、前記根巻きコンクリートを前記構造物本体に押し付けるように、前記横締めＰＣ緊張材に緊張力を付与するステップとをさらに備えることを特徴とする。
【００１８】
また、本発明の他の側面は、上記構成において、前記基体がフーチングであり、前記構造物本体が橋脚であることを特徴とする。
【００１９】
これらの構成を備えた方法によれば、それぞれ対応する上述の構造及びその作用効果を有する補強構造を提供することができる。
【発明の効果】
【００２０】
本発明によれば、軸方向鉄筋は、基体に設けた孔に直接建て込まれずとも、根巻きコンクリート及び結合用部材を介して基体に定着され、構造物本体の曲げ耐力を向上させることができる。結合用部材は、根巻きコンクリートを基体に定着させるが、軸方向鉄筋に比べて配置の自由度が高いため、結合用部材を建て込むための建て込み用孔は、基体に含まれる既設鉄筋を切断する必要がない位置に設けることができ、コンクリート構造物の既設部分の強度が保たれる。
【図面の簡単な説明】
【００２１】
【図１】実施形態に係る補強構造の模式的縦断面図（図２のＩ−Ｉ断面）
【図２】図１のＩＩ−ＩＩ断面の模式的横断面図
【図３】変形実施形態に係る補強構造の橋脚基部を通る断面の模式的横断面図
【図４】他の変形実施形態に係る補強構造の橋脚基部を通る断面の模式的横断面図
【図５】従来の補強構造の模式的縦断面図（図６のＶ−Ｖ断面）
【図６】図６のＶＩ−ＶＩ断面の模式的横断面図
【発明を実施するための形態】
【００２２】
以下、図面を参照しながら本発明の実施形態を説明する。図１及び図２は、本発明を橋梁の下部工２に適用した実施形態を示す。
【００２３】
既設のコンクリート構造物である橋梁の下部工２は、地盤に定着した基体となるフーチング４と、フーチング４の上面から上方に延出して構造物本体となる柱状の橋脚６とを備える。フーチング４は基礎杭（図示せず）を介して地盤に定着していてもよい。橋脚６は、その上部に側方に延出する梁（図示せず）が形成されていてもよく、支承を介して橋梁の上部工を支持する。フーチング４及び橋脚６には、既設鉄筋８が含まれる。既設鉄筋８は、フーチング４から橋脚６に渡って概ね鉛直方向に延在し、下端側が水平方向に屈曲した既設軸方向鉄筋８ａ、既設軸方向鉄筋８ａに直交して概ね水平方向に延在する既設帯鉄筋８ｂ、並びにフーチング４の主鉄筋及びスターラップ等を含む既設フーチング鉄筋８ｃ等を含む。
【００２４】
補強構造１０は、補強のために新たに設置された軸方向鉄筋１２と、軸方向鉄筋１２の下端側を埋め込み、かつ橋脚６の基部の外面を取り囲むように打設された根巻きコンクリート１４と、根巻きコンクリート１４をフーチング４に固定するＰＣ鋼棒からなる結合用部材１６と、根巻きコンクリート１４を補強するＰＣ鋼より線からなる横締めＰＣ緊張材１８と、根巻きコンクリート１４と一体化され、軸方向鉄筋１２の残りの部分を埋め込み、かつ橋脚６の外面を取り囲むように打設された巻き立てコンクリート２０とを備える。図２では、図の横断面の上方に設けられた巻き立てコンクリート２０の輪郭を想像線（二点鎖線）で示している。以下、施工手順に沿って、この補強構造１０を説明する。
【００２５】
必要に応じて土留工又は仮締切工が行われた後、フーチング４の上面を露出させるように地面が掘削され、足場が架設される。補強のために新たに打設されるコンクリートとの一体性を確保するために、ブラスト又はチッピングにより、既設のフーチング４及び橋脚６の表面に凹凸が設けられる。
【００２６】
次に、橋脚６の基部の近傍のフーチング４の上面が削孔され、アンカー部材を建て込むための複数の建て込み用孔２２が設けられる。複数の建て込み用孔２２は、橋脚６の基部の外周に沿った２重の環形を形成するように配置される。各環形を形成する複数の建て込み用孔２２は略等間隔に配置される。複数の建て込み用孔２２は、１重又は３重以上の環形を形成してもよい。事前調査又は実際の削孔により、削孔位置が既設フーチング鉄筋８ｃに重なる場合は、既設フーチング鉄筋８ｃに重ならないように削孔位置がずらされて建て込み用孔２２が形成される。このように削孔位置がずらされた建て込み用孔２２は、隣接する建て込み用孔２２と等間隔ではなく、環形配置からずれる場合もあるが、そのずれは許容される。
【００２７】
次に、根巻きコンクリート１４をフーチング４に結合させるためのアンカー部材、すなわちＰＣ鋼棒からなる結合用部材１６が、建て込み用孔２２に建て込まれる。結合用部材１６は、下側が建て込み用孔２２に受容され、上側の延出部分１６ａがフーチング４から延出するように設置される。その後、充填材が建て込み用孔２２に注入され、結合用部材１６がフーチング４に定着する。充填材には、エポキシ樹脂等の樹脂や、モルタル等を使用することができるが、クリープの影響がない無収縮モルタルを使用することが好ましい。
【００２８】
次に、アンカー用シース（図示せず。結合用部材１６と同軸に配置される）、横締めＰＣ緊張材用シース（図示せず。横締めＰＣ緊張材１８と同軸に配置される）、軸方向鉄筋１２及び帯鉄筋２４が配置される。アンカー用シースは、結合用部材１６の延出部分１６ａが貫通するように配置され、後に打設される根巻きコンクリート１４が結合用部材１６に直接的に付着することを防止する。横締めＰＣ緊張材用シースは、根巻きコンクリート１４の打設予定範囲内で橋脚６を取り囲むように配置され、略水平方向に延在する。図２に示すように、根巻きコンクリート１４が平面視で略長方形の形状に打設される場合は、４つの横締めＰＣ緊張材用シースが、その長方形形状の４つの辺に沿って配置される。
【００２９】
軸方向鉄筋１２は、その主要部が、既設軸方向鉄筋８ａと略平行な橋脚６の軸方向、すなわち略鉛直方向に延在し、かつ橋脚６の外面に沿って配置される。軸方向鉄筋１２は複数配置されるが、全体として橋脚６の外周を取り囲むように互いに略等しい間隔をおいて、結合用部材１６よりも橋脚６に近接して配置される。軸方向鉄筋１２の下端側は、略直角に屈折しており、端部が橋脚６に対して外側を向くように配置される。軸方向鉄筋１２の下端側及びその近傍は、根巻きコンクリート１４の打設予定範囲内に位置し、残りの部分は、巻き立てコンクリート２０の打設予定範囲内に位置する。帯鉄筋２４は、複数の軸方向鉄筋１２に略直交するように当接し、橋脚６を取り囲むように配置される。帯鉄筋２４は複数配置され、互いに鉛直方向にずれた位置に略等しい間隔をおいて配置される。
【００３０】
次に、根巻きコンクリート１４用の型枠が設置され、根巻きコンクリート１４が打設される。根巻きコンクリート１４は、橋脚６の基部、すなわちフーチング４側の端部の外周を覆うように、フーチング４の上面の所定の範囲に打設され、橋脚６の基部及びフーチング４の上面に付着している。根巻きコンクリート１４は、橋脚６の基部の外面から外側に向けて所定の厚さを有し、本実施形態では、平面視で長方形形状の橋脚６に対して、内側が橋脚６に付着し、外側が橋脚６を拡幅するような長方形形状を呈する。根巻きコンクリート１４には、軸方向鉄筋１２の下端側、軸方向鉄筋１２の下端側に巻かれた帯鉄筋２４、アンカー用シース、及び横締めＰＣ緊張材用シースが埋め込まれる。根巻きコンクリート１４が硬化した後、型枠は取り外される。ここで、結合用部材１６の緊張作業、及び横締めＰＣ緊張材１８の挿入及び緊張作業が行えるように、アンカー用シースの上端、及び横締めＰＣ緊張材用シースの両端は、打設された根巻きコンクリート１４に埋まっていない。
【００３１】
次に、横締めＰＣ緊張材１８が、横締めＰＣ緊張材用シースに挿入されて緊張力が付与される。また、結合用部材１６にも緊張力が付与される。横締めＰＣ緊張材１８は、ＰＣ鋼より線からなる。横締めＰＣ緊張材１８及び結合用部材１６は、クサビ方式やねじ方式等の公知の定着具によって、緊張力が付与された状態で定着される。緊張力が付与された後、横締めＰＣ緊張材用シースと横締めＰＣ緊張材１８との間、及びアンカー用シースと結合用部材１６との間にグラウトが注入される。また、横締めＰＣ緊張材１８及び結合用部材１６の定着具は、コンクリート又はモルタルによって跡埋めされる。
【００３２】
次に、巻き立てコンクリート２０用の型枠が設置され、巻き立てコンクリート２０が打設される。巻き立てコンクリート２０は、橋脚６の外周を覆うように橋脚６の外面に付着し、下端で根巻きコンクリート１４に当接して一体化している。橋脚６の外面から外側に向かう方向において、巻き立てコンクリート２０は、根巻きコンクリート１４よりも薄い。巻き立てコンクリート２０は、本実施形態では、平面視で長方形形状の橋脚６に対して、内側が橋脚６に付着し、外側が橋脚６を拡幅するような長方形形状を呈する。巻き立てコンクリート２０には、軸方向鉄筋１２及び帯鉄筋２４の内、根巻きコンクリート１４に埋め込まれた部分以外が埋め込まれる。巻き立てコンクリート２０が硬化した後、型枠は取り外される。
【００３３】
その後、足場が撤去され、フーチング４が埋め戻され、土留工又は仮締切工が実施されていた場合は、これらを撤去する。
【００３４】
本実施形態の作用効果について説明する。
【００３５】
軸方向鉄筋１２と一体になった巻き立てコンクリート２０は、橋脚６に付着しているため、橋脚６のじん性及びせん断耐力を向上させている。さらに、軸方向鉄筋１２が、根巻きコンクリート１４及び結合用部材１６を介してフーチング４に定着しているため、橋脚６の曲げ耐力を向上させている。
【００３６】
結合用部材１６は、軸方向鉄筋１２よりも本数が少なくかつ配置される間隔を広くすることができる。そのため、フーチング４に対する削孔が少なくなり、既設の下部工２の躯体への負荷を減少させることができる。
【００３７】
また、結合用部材１６は、根巻きコンクリート１４内に配置すればよいので、その配置の自由度が高い。従って、結合用部材１６の本数が多くても施工が容易であるとともに、既設フーチング鉄筋８ｃを切断しないように建て込み用孔２２を設けることができ、フーチング４の既設部分の耐力を減退させないことができる。軸方向鉄筋１２に独立して建て込み用孔２２を設けることができるため、この補強構造１０は、大きな補強耐力が必要な場合、すなわち、軸方向鉄筋１２の数量が多く、径が大きい場合に好適である。
【００３８】
また、結合用部材１６に緊張力を導入することで、結合用部材１６の本数を減らしても、確実に根巻きコンクリート１４をフーチング４に定着できる。従って、根巻きコンクリート１４及び結合用部材１６を介してフーチング４に定着している軸方向鉄筋１２は、フーチング４に確実に定着して、橋脚６の曲げ耐力を向上させる。
【００３９】
また、根巻きコンクリート１４を横締めＰＣ緊張材１８で補強することにより、既設の橋脚６の基部及び根巻きコンクリート１４の曲げ耐力及びせん断耐力が向上するため、根巻きコンクリート１４の高さ及び厚さを抑えることができ、根巻きコンクリート１４を小型化できる。特に、河川に設けられる橋梁の下部工２において、フーチング４に対する最小土被りや橋脚６の河川阻害率の制限がある場合に、横締めＰＣ緊張材１８による緊張力の付与は好適である。
【００４０】
次に、図３を参照して、本発明の変形実施形態について説明する。説明に当たって、上記実施形態と共通する構成は、その説明を省略し同一の符号を付す。図３は、横断面形状が円形の橋脚３２の根巻きコンクリート３４部分の模式的横断面図である。図３では、この横断面の上方に設けられた巻き立てコンクリート３５の輪郭を想像線（二点鎖線）で示している。橋脚３２には、既設軸方向鉄筋３６ａが埋め込まれている。根巻きコンクリート３４は、内面が橋脚３２に付着し、外面が平面視で円形の円環状を呈する。補強のための軸方向鉄筋３８及び結合用部材４０は、橋脚３２の外面に沿った円周上に略等間隔で配置される点を除いて、上記実施形態と共通の構成を備える。２本の半円状の横締めＰＣ緊張材４２が、組み合わさって、円環状の根巻きコンクリート３４の内部にその外周に沿って配置されている。巻き立てコンクリート３５は、内面が橋脚３２に付着し、外面が平面視で円形の円環状を呈し、その径方向の厚さは根巻きコンクリート３４よりも小さい。
【００４１】
図４は、他の変形実施形態を示す。図４は、横断面形状が小判型の橋脚５２の根巻きコンクリート５４部分の模式的横断面図である。図４では、この横断面の上方に設けられた巻き立てコンクリート５５の輪郭を想像線（二点鎖線）で示している。橋脚５２には、既設軸方向鉄筋５６ａが埋め込まれている。根巻きコンクリート５４は、内面が橋脚５２に付着し、外面が平面視で小判型の環状を呈する。補強のための軸方向鉄筋５８及び結合用部材６０は、橋脚５２の外面に沿った小判型の環形上に略等間隔で配置される点を除いて、上記実施形態と共通の構成を備える。２本の長円の半円状の横締めＰＣ緊張材６２が、組み合わさって、小判型の環状の根巻きコンクリート５４の内部にその外周に沿って配置されている。巻き立てコンクリート５５は、内面が橋脚５２に付着し、外面が平面視で小判型の環状を呈し、その径方向の厚さは根巻きコンクリート５４よりも小さい。
【００４２】
以上で具体的実施形態の説明を終えるが、本発明は上記実施形態に限定されることなく幅広く変形実施することができる。本発明の補強構造が適用される構造物本体は、橋台でもよい。また、例えば、既設コンクリート構造物は、覆道（洞門）や貯水槽のように、構造物本体として柱、壁又は梁等を備えるコンクリート構造物でもよい。また、補強構造は、構造物本体の全周を覆わなくてもよく、構造物本体の一部の壁面に沿ってのみ設けられてもよい。結合用部材は、ＰＣ鋼棒に代えて他のＰＣ緊張材に代えてもよく、例えば、ＰＣ鋼より線、又は、炭素繊維若しくはガラス繊維等の繊維強化プラスチックを用いてもよい。また、結合用部材として、ＰＣ緊張材ではなく、異形鋼棒等の鉄筋を用いてもよく、この場合アンカー用シースは設置されず、結合用部材としての鉄筋の延出部分が直接根巻きコンクリートに付着する。横締めＰＣ緊張材は、ＰＣ鋼より線に代えて、ＰＣ鋼棒又は炭素繊維若しくはアラミド繊維等の繊維強化プラスチックとしてもよい。また、図３及び図４における横締めＰＣ緊張材は、２本ではなく、１本や３本以上で円形や小判型にしてもよい。また、巻き立てコンクリートの打設は、横締めＰＣ緊張材又は結合用部材の緊張前に行ってもよく、横締めＰＣ緊張材と結合用部材の緊張作業は、どちらを先に行ってもよい。また、軸方向鉄筋の各々は、複数の鉄筋が継ぎ手されたものでもよく、軸方向鉄筋の下端側は、その屈折した方向の向きは適宜変更してもよく、その形状を変更してもよい。
【符号の説明】
【００４３】
２...下部工（コンクリート構造物）、４...フーチング(基体)、６，３２，５２...橋脚（構造物本体）、１２，３８，５８...軸方向鉄筋、１４，３４，５４...根巻きコンクリート、１６，４０，６０...結合用部材、１８，４２，６２...横締めＰＣ緊張材、２０，３５，５５...巻き立てコンクリート、２２...建て込み用孔
【図１】
0006427045.tif 000002
【図２】
0006427045.tif 000003
【図３】
0006427045.tif 000004
【図４】
0006427045.tif 000005
【図５】
0006427045.tif 000006
【図６】
0006427045.tif 000007